(57)【要約】  カスタマが設備を導入する際の支援を行う設備導入支援システムは、設備で扱う対象物および作業内容の少なくともいずれかの情報を含む設備の仕様情報と、導入済みの設備とを対応付けた導入実績を記憶する記憶部と、カスタマから仕様情報を伴って設備の導入要求を受け付ける受付部と、導入要求が受け付けられると、導入要求の仕様情報と導入実績の仕様情報との類似度を算出し、算出した類似度のより高い設備を導入実績から選定してカスタマに提案する提案部と、を備える。
2020178937.tif 000002
【特許請求の範囲】
【請求項１】
カスタマが設備を導入する際の支援を行う設備導入支援システムであって、
設備で扱う対象物および作業内容の少なくともいずれかの情報を含む設備の仕様情報と、導入済みの設備とを対応付けた導入実績を記憶する記憶部と、
カスタマから前記仕様情報を伴って設備の導入要求を受け付ける受付部と、
前記導入要求が受け付けられると、該導入要求の前記仕様情報と前記導入実績の前記仕様情報との類似度を算出し、該算出した類似度のより高い設備を前記導入実績から選定してカスタマに提案する提案部と、
を備える設備導入支援システム。
【請求項２】
請求項１に記載の設備導入支援システムであって、
導入予定の設備の仮想空間上のモデルを用いてシミュレーションするシミュレーション部を備え、
前記記憶部は、前記シミュレーションの結果を導入済みの設備に対応付けて前記導入実績を記憶し、
前記提案部は、前記選定した設備の前記シミュレーションの結果と共に該設備をカスタマに提案する
設備導入支援システム。
【請求項３】
請求項１または２に記載の設備導入支援システムであって、
前記記憶部は、前記仕様情報に、前記導入済みの設備において前記対象物を把持する把持機器の形状情報を含み、
前記提案部は、前記把持機器の形状情報を含めて設備を提案する
設備導入支援システム。
【請求項４】
請求項１ないし３のいずれか１項に記載の設備導入支援システムであって、
前記記憶部は、前記仕様情報に、前記導入済みの設備において前記作業内容の動作を担う動作機器の動作プログラムおよび動作パラメータのいずれかを含み、
前記提案部は、前記動作機器の動作プログラムおよび動作パラメータのいずれかを含めて設備を提案する
設備導入支援システム。
【請求項５】
請求項１ないし４のいずれか１項に記載の設備導入支援システムであって、
前記受付部は、導入を要求する設備に関する導入費用と作業能力と設置面積と導入納期とベンダの少なくともいずれかの要求項目を、前記仕様情報に含めて前記導入要求を受け付け、
前記記憶部は、前記仕様情報に前記要求項目を含めて前記導入実績を記憶し、
前記提案部は、前記類似度のより高い設備のうち前記導入要求における前記要求項目を満たす設備を選定する
設備導入支援システム。
【請求項６】
請求項５に記載の設備導入支援システムであって、
前記受付部は、前記要求項目を複数受け付ける場合、複数の前記要求項目のうち優先すべき優先項目を受け付け可能であり、
前記提案部は、前記要求項目を満たす設備のうち前記優先項目を満たす設備を優先的に提案する
設備導入支援システム。
【発明の詳細な説明】
【技術分野】
【０００１】
本明細書は、設備導入支援システムを開示する。
【背景技術】
【０００２】
従来、カスタマが設備を導入する際に、導入すべき設備を検索してカスタマに提案するシステムが知られている。例えば、特許文献１には、発電設備などの設備を導入する際に、カスタマの情報端末から送られた設置環境情報を含む属性情報に基づいて設備データベースを参照し、カスタマに提案すべき設備を検索することが記載されている。
【先行技術文献】
【特許文献】
【０００３】
【特許文献１】特開２０１８−０１４０１９号公報
【発明の概要】
【発明が解決しようとする課題】
【０００４】
ところで、カスタマが導入する設備として、ワークなどの対象物に対する作業を行う設備も挙げられる。そのような設備では、対象物の形状や寸法、作業の内容などによって、適切な設備が異なることになる。このため、上述したシステムのように、カスタマの設置環境情報を含む属性情報を用いた提案では、適切な設備を提案することが困難となる場合がある。【０００５】
本開示は、対象物に対する作業を行うための設備の提案をより適切に行うことを主目的とする。
【課題を解決するための手段】
【０００６】
本開示は、上述の主目的を達成するために以下の手段を採った。【０００７】
本開示の設備導入支援システムは、
カスタマが設備を導入する際の支援を行う設備導入支援システムであって、
設備で扱う対象物および作業内容の少なくともいずれかの情報を含む設備の仕様情報と、導入済みの設備とを対応付けた導入実績を記憶する記憶部と、
カスタマから前記仕様情報を伴って設備の導入要求を受け付ける受付部と、
前記導入要求が受け付けられると、該導入要求の前記仕様情報と前記導入実績の前記仕様情報との類似度を算出し、該算出した類似度のより高い設備を前記導入実績から選定してカスタマに提案する提案部と、
を備えることを要旨とする。【０００８】
本開示の設備導入支援システムでは、設備で扱う対象物および作業内容の少なくともいずれかの情報を含む設備の仕様情報と、導入済みの設備とを対応付けた導入実績を記憶しておく。そして、仕様情報を伴って設備の導入要求をカスタマから受け付けると、導入要求の仕様情報と導入実績の仕様情報との類似度を算出し、算出した類似度のより高い設備を導入実績から選定してカスタマに提案する。これにより、導入済みの設備のうち、カスタマが要求する仕様情報により近い設備を提案することができる。したがって、カスタマ自身に必要な設備を選定させることなく、対象物に対する作業を行うための設備の提案をより適切に行うことができる。
【図面の簡単な説明】
【０００９】
【図１】設備導入支援システム１０の構成の概略を示す構成図。
【図２】マーケットプレイスＭＰの概略を示す説明図。
【図３】作業システム６０の構成の概略を示す構成図。
【図４】モジュールＤＢ３０の一例を示す説明図。
【図５】導入実績ＤＢ３５の一例を示す説明図。
【図６】モジュール導入対応処理の一例を示すフローチャート。
【図７】要求受付処理の一例を示すフローチャート。
【図８】自動提案要求画面の一例を示す説明図。
【図９】検索処理の一例を示すフローチャート。
【図１０】提案処理の一例を示すフローチャート。
【図１１】提案一覧画面の一例を示す説明図。
【図１２】提案詳細画面の一例を示す説明図。
【発明を実施するための形態】
【００１０】
次に、本開示を実施するための形態について図面を参照しながら説明する。
【００１１】
図１は本実施形態の設備導入支援システム１０の構成の概略を示す構成図であり、図２はマーケットプレイスＭＰの概略を示す説明図であり、図３は作業システム６０の構成の概略を示す構成図である。図１，図２に示すように、設備導入支援システム１０は、ベンダにより提供される各種の設備や機器（以下、モジュール）をカスタマが購入するためのマーケットプレイスＭＰを管理する管理サーバ２０を備える。この設備導入支援システム１０では、管理サーバ２０がネットワーク１２を介してベンダ端末４０やカスタマ端末５０に接続されている。なお、図１では、ベンダ端末４０やカスタマ端末５０をそれぞれ１つずつ示すが、実際には複数接続されている。
【００１２】
管理サーバ２０は、制御部２１と、シミュレーション部２２と、記憶部２３と、通信部２６とを備える。制御部２１は、ＣＰＵやＲＯＭ、ＲＡＭなどを有し、マーケットプレイスＭＰの管理などのサーバ全体の制御を行う。シミュレーション部２２は、マーケットプレイスＭＰで購入可能なモジュールを組み合わせた作業システム６０（図３参照）などのモデルＭＤ（デジタルツイン，図２参照）を仮想空間上に構築し、仮想空間上でモデルＭＤを用いたシミュレーションを実行する。記憶部２３は、ＨＤＤなどで構成され、各種アプリケーションプログラムや各種データベース（ＤＢ）などを記憶する。通信部２６は、ネットワーク１２などに接続され、ベンダ端末４０やカスタマ端末５０などと通信を行う。管理サーバ２０には、キーボードやマウスなどの入力部２８から管理者による各種指示などが入力される。また、管理サーバ２０は、ディスプレイなどの表示部２９に各種情報を表示する。なお、管理サーバ２０がシミュレーション部２２や記憶部２３（各種ＤＢ）を備えるものに限られず、シミュレーション部が管理サーバ２０と別の装置として構成されてもよいし、各種ＤＢを記憶するデータサーバが管理サーバ２０と別の装置として構成されてもよい。
【００１３】
ベンダ端末４０は、ＣＰＵやＲＯＭ、ＲＡＭなどを有する制御部４１と、各種アプリケーションプログラムや各種データなどを記憶するＨＤＤなどの記憶部４３と、ネットワーク１２などに接続され管理サーバ２０などと通信を行う通信部４６とを備える。ベンダ端末４０は、キーボードやマウスなどの入力部４８からベンダによる各種指示などが入力される。また、ベンダ端末４０は、ディスプレイなどの表示部４９に、提供対象のモジュールのモジュールデータをマーケットプレイスＭＰに登録するための登録用画面などの各種情報を表示する。
【００１４】
カスタマ端末５０は、ベンダ端末４０と同様に、制御部５１と、記憶部５３と、通信部５６とを備える。なお、通信部５６は、ネットワーク１２などを介して、後述する作業システム６０の制御装置６８と通信を行うものとしてもよい。カスタマ端末５０は、キーボードやマウスなどの入力部５８からカスタマによる各種指示などが入力される。また、カスタマ端末５０は、ディスプレイなどの表示部５９に、マーケットプレイスＭＰのトップ画面（購入用画面）やシミュレーションのモデルＭＤ、シミュレーションの実行結果などの各種情報を表示する。
【００１５】
ここで、マーケットプレイスＭＰで購入可能なモジュールを組み合わせた作業システム６０の一例について説明する。例えば、作業システム６０は、ロボット６１により所定作業を行うシステムとして構成することができ、図３の例では、ロボット６１以外に、基板搬送装置６６と、フィーダ６７とを備える。所定作業の一例としては、例えば機械部品や電子部品などのワークをロボット６１がピックアップして基板Ｓに実装する実装作業などが挙げられる。ロボット６１は、垂直多関節型のロボットアーム６２と、ロボットアーム６２の作動を含むシステム全体を制御する制御装置６８とを備える。また、ロボットアーム６２の先端リンクには、作業ツールとしてのエンドエフェクタ６３が着脱可能に取り付けられる他、画像を撮像するカメラ６４と、カメラ６４と同軸に配置されたリングライトなどの照明６５とが取り付けられている。なお、エンドエフェクタ６３としては、電磁チャックやメカニカルチャック、吸着ノズルなどが挙げられる。基板搬送装置６６は、一対のベルトコンベアにより基板Ｓを搬送する。フィーダ６７は、複数のワークが所定間隔で収容されたテープを送り出すテープフィーダとして構成されている。なお、フィーダ６７は、テープフィーダに限られず、複数のワークが配置されたトレイを供給するトレイフィーダなどであってもよい。制御装置６８は、ＣＰＵやＲＯＭ、ＨＤＤ、ＲＡＭなどで構成されており、ロボット６１の動作プログラム以外に、作業システム６０の全体を管理するシステムプログラムなどを記憶している。また、図示は省略するが、基板搬送装置６６の動作プログラムは基板搬送装置６６のＰＬＣ（Programmable Logic Controller）が記憶しており、フィーダ６７の動作プログラムは、フィーダ６７のＰＬＣが記憶している。このような作業システム６０を構成するロボット６１（ロボットアーム６２）やエンドエフェクタ６３、カメラ６４、照明６５、基板搬送装置６６、フィーダ６７を、それぞれモジュールという。
【００１６】
管理サーバ２０の記憶部２３には、図４に示すモジュールＤＢ（データベース）３０と、図５に示す導入実績ＤＢ３５と、ベンダＤＢ３７と、カスタマＤＢ３９とが記憶されている。ベンダＤＢ３７は、図示は省略するが、認証登録がなされたベンダの名称や各ベンダに固有のベンダＩＤ、メールアドレスや住所などの連絡先、ベンダが提供するモジュールの種類の情報などが登録されている。また、カスタマＤＢ３９は、図示は省略するが、認証登録がなされたカスタマの名称や各カスタマに固有のカスタマＩＤ、メールアドレスや住所などの連絡先、カスタマの購入履歴などが登録されている。
【００１７】
モジュールＤＢ３０は、ベンダがベンダ端末４０から登録用画面を介して登録したモジュールデータなどを登録するものであり、モジュールの種類別に複数のモジュールデータ３１が登録されている。複数のモジュールデータ３１は、例えば、図４に示すようにロボットデータ３０Ａとエンドエフェクタデータ３０Ｂとフィーダデータ３０Ｃとコンベアデータ３０Ｄとカメラデータ３０Ｅと照明データ３０Ｆとに区分けして登録されている。ロボットデータ３０Ａには、ロボットアーム６２（ロボットＡ）のモジュールデータや他の各種ロボットＢ〜Ｄなどのモジュールデータが登録されている。各種ロボットは、垂直多関節型以外の水平多関節型やパラレルリンク型などとしてもよい。これらのモジュールデータには、それぞれロボットＡ〜Ｄの３次元ＣＡＤデータなどの形状データや動作プログラムなどが含まれている。同様に、エンドエフェクタデータ３０Ｂには、ロボットＡに着脱可能なエンドエフェクタ６３（エンドエフェクタＡ）やロボットＡ〜Ｄに着脱可能な他の種類のエンドエフェクタＢ〜Ｄの形状データなどを含むモジュールデータが登録されている。また、フィーダデータ３０Ｃには、フィーダ６７（フィーダＡ）や他の種類のフィーダＢ〜Ｄの形状データや動作プログラムなどを含むモジュールデータが登録されている。コンベアデータ３０Ｄには、基板搬送装置６６としてのコンベアＡや他の種類のコンベアの形状データや動作プログラムなどを含むモジュールデータが登録されている。カメラデータ３０Ｅには、カメラ６４（カメラＡ）や他の種類のカメラＢ〜Ｄの形状データや仕様などを含むモジュールデータが登録されている。照明データ３０Ｆには、照明６５（照明Ａ）や他の種類の照明Ｂ〜Ｄの形状データや仕様などを含むモジュールデータが登録されている。また、図示は省略するが、モジュールＤＢ３０には、作業対象の代表的なワークの形状データや物性データなどを含むモジュールデータなども登録されている。ワークのモジュールデータは、ベンダが登録してもよいし、カスタマから依頼を受けた管理者が登録してもよく、モデルＭＤを用いたシミュレーションで用いられる。
【００１８】
カスタマ端末５０などに表示されるマーケットプレイスＭＰのトップ画面では、これらのモジュールの購入要求や閲覧、各種ツールの購入要求や閲覧、モジュールの自動提案、カスタマのマイページへのログインなどが可能となっている。図２に示すように、トップ画面では、例えばロボットやエンドエフェクタ、フィーダ、コンベア、カメラ（ここでは照明を含む）などのモジュールの種類別のアイコンやツールのアイコン、選択購入ボタン、自動提案ボタン、マイページへのログインボタンなどが表示されている。カスタマが入力部５８を用いた操作入力により選択購入ボタンを操作（クリック）してから所望のモジュールのアイコンを選択すると、該当する種類のモジュールデータを選択可能に一覧表示する図示しないモジュール選択画面が表示される。例えば、カスタマがロボットのアイコンを選択すると、ロボットＡ〜Ｄの各モジュールデータ３１が一覧表示され、カスタマはその中から必要なモジュールを選択して購入することができる。なお、一覧表示されるモジュールデータは、モジュールＤＢ３０に登録されているものである。また、カスタマが選択購入ボタンを操作してからツールのアイコンを選択すると、各種ツールを選択可能に一覧表示する図示しないツール選択画面が表示される。カスタマはその中から必要なツールを選択して購入することができる。なお、各種ツールとしては、各モジュールの作業状況や異常発生の頻度などの情報を収集して分析する分析ツール、分析結果からモジュールの変更などの改善案を提案する提案ツール、モジュールの効率的なレイアウトを行うレイアウトツールなどが挙げられる。なお、カスタマは購入ボタンをクリックすることなくモジュールのアイコンやツールのアイコンを選択して、一覧表示されたモジュールやツールの内容を閲覧することが可能である。また、カスタマが自動提案ボタンを操作すると、後述する自動提案要求画面が表示され、マーケットプレイスＭＰにカスタマの要求する設備の仕様に適したモジュールを提案させることができる。即ち、マーケットプレイスＭＰはモジュールの自動提案機能を有しており、この詳細は後述する。また、カスタマがマイページにログインすると、モジュールの購入履歴や導入予定のモジュールの内容および変更履歴、管理サーバ２０やベンダからの連絡事項などを確認することができる。
【００１９】
また、図５の導入実績ＤＢ３５には、各カスタマに過去に導入された導入済みのモジュールの情報に、ワークの情報や作業内容の情報を含むモジュールの各種仕様情報が対応付けて登録されている。モジュールの情報としては、ロボット６１（ロボットアーム６２）やエンドエフェクタ６３、カメラ６４、照明６５、基板搬送装置６６、フィーダ６７などについて導入した各モジュールの識別情報や形状などが登録されている。また、ワークの情報には、ワークの形状や寸法などの情報を含む。作業内容の情報には、ワークをプレースする対象の対象形状や対象寸法、ワークを基板Ｓ上に整列させるのか基板Ｓ上のボルトの軸に挿入するかなどの内容の情報を含む。例えば、ワッシャーをボルトの軸に挿入する作業の場合、ワークの形状（ワッシャー）やワッシャーの内外径、ボルトの軸挿入などが登録される。また、仕様情報として、ロボット６１や基板搬送装置６６、フィーダ６７などの動作プログラムや動作パラメータ、費用、納期などが登録されている。動作プログラムには、ラダープログラムなどを含む。また、動作パラメータには、基板搬送装置６６のコンベアの動作速度（搬送速度）や動作方向（搬送方向）など機構に対して設定可能な内容を含む。なお、仕様情報として、各モジュールの作業能力に関する情報や設置面積、ベンダなどの情報が登録されていてもよい。作業能力に関する情報としては、例えばロボットアーム６２の動作速度や動作範囲、可搬重量、位置精度などの情報、基板搬送装置６６の搬送速度、可搬重量、フィーダ６７の供給速度などが挙げられる。また、設置面積は、各モジュールを組み合わせて導入する際の設置に必要な床面積が登録される。さらに、導入実績ＤＢ３５には、導入済みのモジュールに対応付けて、シミュレーション部２２により実行されたシミュレーションの結果としての動画ファイルも登録されている。
【００２０】
次に、こうして構成された設備導入支援システム１０の動作、特にトップ画面から自動提案が選択されたために、マーケットプレイスＭＰの自動提案機能を利用してカスタマにモジュールを提案して導入させる際の対応処理を説明する。図６はモジュール導入対応処理の一例を示すフローチャートである。この処理は、管理サーバ２０の制御部２１により実行される。この処理では、管理サーバ２０の制御部２１は、まず、自動提案を選択したカスタマからモジュールの導入要求を受け付ける要求受付処理を行い（Ｓ１００）、受け付けた導入要求に基づいて適切なモジュールを検索する検索処理を行う（Ｓ１１０）。そして、制御部２１は、検索したモジュールをカスタマに提案する提案処理を行い（Ｓ１２０）、カスタマがモジュールの発注を承認するのを待つ（Ｓ１３０）。制御部２１は、カスタマが発注を承認すると、ベンダにモジュールを発注してカスタマに導入させる導入処理を行い（Ｓ１４０）、導入したモジュールの評価をカスタマから受け付ける評価受付処理を行って（Ｓ１５０）、モジュール導入対応処理を終了する。図示は省略するが、制御部２１は、Ｓ１４０で受け付けた評価を導入実績ＤＢ３５に登録してもよい。なお、自動提案ではなく、カスタマがモジュール選択画面から必要なモジュールを選択した場合、制御部２１はそれらのモジュールを組み合わせたモデルＭＤを構築し、シミュレーション部２２によりモデルＭＤを用いたシミュレーションを行う。このシミュレーションの結果と共にモジュール（モデルＭＤ）をカスタマに提案して、カスタマが発注を承認するのを待つことになる。制御部２１は、発注が承認されると、Ｓ１４０，Ｓ１５０と同様の処理を行うと共に、導入実績ＤＢ３５に導入済みのモジュールの情報やモジュールの仕様情報、動作プログラムや動作パラメータ、費用、納期、シミュレーションの結果などを登録する。以下、Ｓ１００の要求受付処理と、Ｓ１１０の検索処理と、Ｓ１２０の提案処理を順に説明する。
【００２１】
図７は要求受付処理の一例を示すフローチャートである。この要求受付処理では、制御部２１は、まず、カスタマ端末５０の表示部５９に図８の自動提案要求画面を表示させて（Ｓ２００）、カスタマによる確定操作がなされるのを待つ（Ｓ２１０）。自動提案要求画面では、カスタマが、ワークの形状や寸法などのワーク情報と、作業対象物や作業内容などの作業内容情報とを入力したり、要求項目を選択したりすることができる。なお、カスタマに情報を入力させるものに限られず、プルダウンメニューなどから情報を選択させてもよい。要求項目としては、モジュールの導入費用や生産能力、設置面積、納期、ベンダなどをチェックボックスを用いて選択可能となっている。図示は省略するが、カスタマがチェックボックスにチェックを入れると、該当する要求項目の設定画面が開いて詳細な設定を行うことができる。例えば、カスタマが費用のチェックボックスにチェックを入れると、設定画面から上限の費用などの設定を行うことができる。また、カスタマが要求項目を複数選択した場合、それらの複数の要求項目のうち優先項目を設定可能である。例えば、図８では、費用と納期が選択されており、費用の優先順が１位で納期の優先順が２位に設定された様子を示す。カスタマは、これらの情報の入力や要求項目の選択、優先項目（優先順）の設定などを行ってから確定ボタンを操作して、自動提案を要求する。
【００２２】
制御部２１は、Ｓ２１０で確定操作がなされると、ワーク情報と作業内容情報とを含むモジュールの導入要求を受け付け（Ｓ２２０）、選択された要求項目があるか否か（Ｓ２３０）、優先項目があるか否か（Ｓ２４０）、をそれぞれ判定する。制御部２１は、Ｓ２３０で選択された要求項目がないと判定すると、要求受付処理を終了する。また、制御部２１は、Ｓ２３０，Ｓ２４０で選択された要求項目があるものの優先項目は設定されていないと判定すると、選択された要求項目を受け付けて（Ｓ２５０）、要求受付処理を終了する。そして、制御部２１は、Ｓ２３０，Ｓ２４０で選択された要求項目があり優先項目が設定されていると判定すると、選択された複数の要求項目とそれらのうちの優先項目を受け付けて（Ｓ２６０）、要求受付処理を終了する。
【００２３】
図９は検索処理の一例を示すフローチャートである。検索処理では、制御部２１は、まず、要求受付処理で受け付けたワーク情報と作業内容情報と、導入実績に登録されたワーク情報と作業内容情報とに基づいて導入実績の各案件の類似度を算出する（Ｓ３００）。Ｓ３００では、制御部２１は、ワーク情報に含まれるワークの形状や寸法、作業内容情報に含まれる対象物や内容などの複数の特徴を数値的に解析して、これらの特徴量ベクトルを算出する。そして、制御部２１は、要求受付処理で受け付けた案件の特徴量ベクトルと、導入実績の各案件の特徴量ベクトルとの類似度を例えばコサイン類似度などを用いることにより算出する。なお、類似度の算出は、このような方法に限られずユークリッド距離などを用いてもよいし、ニューラルネットワークなどの機械学習を用いてもよい。次に、制御部２１は、カスタマから受け付けた要求項目があるか否かを判定し（Ｓ３１０）、要求項目がないと判定すると、Ｓ３００で算出した類似度が所定値以上の案件を類似度の高い順に並べ替えて（Ｓ３２０）、検索処理を終了する。
【００２４】
一方、制御部２１は、カスタマから受け付けた要求項目があると判定すると、Ｓ３００で算出した類似度が所定値以上の案件のうち導入実績に登録されている要求項目が、カスタマから受け付けた要求項目に一致する案件を選定する（Ｓ３３０）。制御部２１は、カスタマから複数の要求項目を受け付けた場合、複数の要求項目のうちいずれかが一致する案件を選定すればよいが、いずれかが一致する案件が数十件以上などの多数となる場合には複数の要求項目のいずれもが一致する案件を選定してもよい。
【００２５】
続いて、制御部２１は、カスタマから受け付けた優先項目があるか否かを判定し（Ｓ３４０）、優先項目があると判定すると、Ｓ３３０で選定した案件を優先項目に従って並べ替えて（Ｓ３５０）、検索処理を終了する。Ｓ３５０では、制御部２１は、優先順の最も高い項目の一致度が高い案件から順に並べ替えることになる。例えば、制御部２１は、費用の優先順が最も高い場合には費用の低いものから順に並べ替え、面積の優先順が最も高い場合には面積の小さいものから順に並べ替え、能力の優先順が最も高い場合には能力の高いものから順に並べ替える。また、制御部２１は、納期の優先順が最も高い場合には納期の早いものから順に並べ替え、ベンダの優先順が最も高い場合にはベンダが一致するものが上位となるように並べ替える。なお、優先順の最も高い項目の一致度が同じ案件が複数存在する場合、制御部２１は、次に優先順が高い項目の一致度が高いものから順に並べ替えればよい。また、制御部２１は、Ｓ３４０で優先項目がないと判定すると、Ｓ３３０で選定した案件を類似度の高い順に並べ替えて（Ｓ３６０）、検索処理を終了する。なお、制御部２１は、Ｓ３６０で類似度の高い順に並べ替えるのに代えて、一致する要求項目の多い順に並べ替えるものなどとしてもよい。
【００２６】
図１０は提案処理の一例を示すフローチャートである。提案処理では、制御部２１は、まず、図１１の提案一覧画面をカスタマ端末５０の表示部５９に表示させて（Ｓ４００）、カスタマにより確定操作がなされるか（Ｓ４１０）、詳細操作がなされるのを待つ（Ｓ４２０）。提案一覧画面では、図１１に示すように、例えば提案１〜３などの複数の提案が、図９の検索処理の並べ替えに従った並びで一覧表示されている。ここでは、要求項目のうち費用の優先順が最も高いために、費用が低い案件から順に一覧表示されるものとする。各提案１〜３は、いずれも導入実績ＤＢ３５に登録されている案件であり、それぞれ導入済みのモジュールの情報が表示されている。提案一覧画面では、いずれかの提案が選択された状態で詳細ボタンが操作されると、選択中の提案の詳細画面に遷移し、確定ボタンが操作されると選択中の提案を確定することができる。
【００２７】
制御部２１は、Ｓ４２０で詳細ボタンが操作されると、図１２の提案詳細画面をカスタマ端末５０の表示部５９に表示させる（Ｓ４３０）。図１２の提案詳細画面は、提案一覧画面の提案毎に設けられ、一例として提案１の画面を示す。提案詳細画面では、導入予定のモジュールを組み合わせたモデルＭＤの画像と、そのモデルＭＤを用いたシミュレーションの動画表示ボタン、エンドエフェクタの形状情報、動作プログラムや動作パラメータの表示ボタン、提案一覧画面へ戻るための戻るボタンなどが表示されている。制御部２１は、提案詳細画面を表示すると、カスタマにより動画表示ボタンを用いたシミュレーション動画の再生操作がなされるか（Ｓ４４０）、動作プログラムや動作パラメータの表示ボタンを用いた表示操作がなされるか（Ｓ４５０）、戻るボタンを用いた戻る操作がなされるのを待つ（Ｓ４６０）。
【００２８】
制御部２１は、Ｓ４４０でシミュレーション動画の再生操作がなされたと判定すると、シミュレーションの動画結果を再生する（Ｓ４７０）。これにより、提案したモジュールを組み合わせたモデルＭＤの動作をカスタマに容易に把握させることができる。また、制御部２１は、Ｓ４５０で動作プログラムや動作パラメータの表示操作がなされたと判定すると、ロボットやフィーダの動作プログラムや動作パラメータを表示する（Ｓ４８０）。なお、動作プログラムや動作パラメータは全てを表示するものに限られず、一部の動作や代表的な内容についてのみ表示してもよいし、表示するものに限られずカスタマ端末５０にダウンロードさせるものなどとしてもよい。また、制御部２１は、Ｓ４６０で戻る操作がなされたと判定するとＳ４００に戻り、提案一覧画面を表示させる。そして、制御部２１は、Ｓ４１０で確定操作がなされたと判定すると、選択中の提案に確定して（Ｓ４９０）、提案処理を終了する。なお、図示は省略するが、提案処理においてカスタマから提案内容の変更を受け付けるものとしてもよい。そのようにする場合、例えば、カスタマから一部のモジュールの変更を受け付け、新たなモデルＭＤを生成してシミュレーションを行うものなどとすればよい。
【００２９】
ここで、本実施形態の構成要素と本開示の構成要素との対応関係を明らかにする。本実施形態の設備導入支援システム１０が設備導入支援システムに相当し、管理サーバ２０の記憶部２３が記憶部に相当し、図６のモジュール導入対応処理のＳ１００を実行する管理サーバ２０の制御部２１が受付部に相当し、同処理のＳ１１０，Ｓ１２０を実行する管理サーバ２０の制御部２１が提案部に相当する。また、管理サーバ２０のシミュレーション部２２がシミュレーション部に相当する。また、エンドエフェクタ６３が把持機器に相当し、ロボット６１（ロボットアーム６２）や基板搬送装置６６，フィーダ６７などが動作機器に相当する。
【００３０】
以上説明した設備導入支援システム１０は、ワーク情報や作業内容情報と、導入済みのモジュールとを対応付けた導入実績ＤＢ３５を記憶部２３に記憶しておき、ワーク情報や作業内容情報を伴ってモジュールの導入要求をカスタマから受け付けると、類似度のより高いモジュールを導入実績ＤＢ３５から選定してカスタマに提案する。このため、設備導入支援システム１０は、導入済みのモジュールのうちカスタマの要求により近いモジュールを適切に提案することができるから、カスタマによるモジュールの選択の負担を抑えると共にモジュールの選択のミスを防止することができる。
【００３１】
また、設備導入支援システム１０は、選定したモジュールのシミュレーションの動画結果と共にモジュールをカスタマに提案するから、カスタマにモジュールの導入可否を容易に判断させることができると共に、カスタマの認識違いなどによりモジュールの変更依頼が発生するのを抑制することができる。また、設備導入支援システム１０は、エンドエフェクタ６３の形状情報とロボット６１（ロボットアーム６２）などの動作プログラムや動作パラメータとを含めてカスタマにモジュールを提案する。このため、カスタマは、それらの内容を容易に把握してモジュールの導入可否の判断材料とすることができるから、特にモジュールの導入経験の少ないカスタマにモジュールの提案をより一層適切に行うことができる。
【００３２】
また、設備導入支援システム１０は、導入を要求する設備に関する導入費用と作業能力と設置面積と導入納期とベンダの少なくともいずれかの要求項目をカスタマから受け付け、要求項目を満たす設備を選定するから、カスタマの要求項目に応じた適切な設備を提案することができる。また、設備導入支援システム１０は、カスタマから複数の要求項目を受け付けた場合に優先項目を受け付け可能であり、要求項目を満たす設備のうち優先項目を満たす設備を優先的に提案するから、要求項目の優先順に応じたより適切な設備を提案することができる。
【００３３】
なお、本開示は上述した実施形態に何ら限定されることはなく、本開示の技術的範囲に属する限り種々の態様で実施し得ることはいうまでもない。
【００３４】
例えば、上述した実施形態では、要求項目を複数受け付ける場合に優先項目を受け付け可能としたが、これに限られず、優先項目を受け付けないものとしてもよい。そのようにする場合、要求項目を満たす項目数の多い設備を提案するものなどとしてもよい。あるいは、要求項目を受け付けるものに限られず、要求項目を受け付けないものとしてもよい。
【００３５】
上述した実施形態では、エンドエフェクタ６３の形状情報とロボット６１（ロボットアーム６２）の動作プログラムなどを含めてカスタマにモジュールを提案するものとしたが、これに限られるものではない。例えば、エンドエフェクタ６３の形状情報とロボット６１（ロボットアーム６２）の動作プログラムなどのうちいずれか一方のみを含めるものとしてもよい。あるいは、エンドエフェクタ６３の形状情報とロボット６１（ロボットアーム６２）の動作プログラムなどを含めることなくカスタマにモジュールを提案するものとしてもよい。
【００３６】
上述した実施形態では、シミュレーションの動画結果を含めてカスタマにモジュールを提案するものとしたが、これに限られず、シミュレーションの動画結果を含めることなくカスタマにモジュールを提案するものとしてもよい。
【００３７】
上述した実施形態では、ロボット６１を含む複数のモジュールで構成された作業システム６０を例示したが、これに限られず、作業システムは、複数のモジュールで構成されたシステムであればよくロボット６１を含まないものとしてもよい。また、一度に複数のモジュールを提案するものに限られず、１のモジュールのみを提案するものとしてもよい。
【００３８】
ここで、本開示の設備導入支援システムは、以下のように構成してもよい。例えば、本開示の設備導入支援システムにおいて、導入予定の設備の仮想空間上のモデルを用いてシミュレーションするシミュレーション部を備え、前記記憶部は、前記シミュレーションの結果を導入済みの設備に対応付けて前記導入実績を記憶し、前記提案部は、前記選定した設備の前記シミュレーションの結果と共に該設備をカスタマに提案するものとしてもよい。こうすれば、カスタマは、提案された設備のシミュレーション結果を確認して設備の導入可否を判断することができるから、設備の提案をさらに適切に行うことができる。
【００３９】
本開示の設備導入支援システムにおいて、前記記憶部は、前記仕様情報に、前記導入済みの設備において前記対象物を把持する把持機器の形状情報を含み、前記提案部は、前記把持機器の形状情報を含めて設備を提案するものとしてもよい。また、本開示の設備導入支援システムにおいて、前記記憶部は、前記仕様情報に、前記導入済みの設備において前記作業内容の動作を担う動作機器の動作プログラムおよび動作パラメータのいずれかを含み、前記提案部は、前記動作機器の動作プログラムおよび動作パラメータのいずれかを含めて設備を提案するものとしてもよい。ここで、対象物を把持する把持機器の形状や、作業内容の動作を担う動作機器の動作プログラムおよび動作パラメータは、設備を導入する際の重要な項目であって、設備の導入経験の少ないカスタマにとって選定や設定が困難な項目であるといえる。このため、これらの内容を含めて設備を提案することで、カスタマに対して設備の提案をより一層適切に行うことができる。
【００４０】
本開示の設備導入支援システムにおいて、前記受付部は、導入を要求する設備に関する導入費用と作業能力と設置面積と導入納期とベンダの少なくともいずれかの要求項目を、前記仕様情報に含めて前記導入要求を受け付け、前記記憶部は、前記仕様情報に前記要求項目を含めて前記導入実績を記憶し、前記提案部は、前記類似度のより高い設備のうち前記導入要求における前記要求項目を満たす設備を選定するものとしてもよい。こうすれば、カスタマの要求項目に応じた適切な設備を提案することができる。
【００４１】
本開示の設備導入支援システムにおいて、前記受付部は、前記要求項目を複数受け付ける場合、複数の前記要求項目のうち優先すべき優先項目を受け付け可能であり、前記提案部は、前記要求項目を満たす設備のうち前記優先項目を満たす設備を優先的に提案するものとしてもよい。こうすれば、カスタマの要求項目の優先順に応じたより適切な設備を提案することができる。
【産業上の利用可能性】
【００４２】
本開示は、設備導入支援システムの製造産業などに利用可能である。
【符号の説明】
【００４３】
１０  設備導入支援システム、１２  ネットワーク、２０  管理サーバ、２１，４１，５１  制御部、２２  シミュレーション部、２３，４３，５３  記憶部、２６，４６，５６  通信部、２８，４８，５８  入力部、２９，４９，５９  表示部、３０  モジュールＤＢ、３０Ａ  ロボットデータ、３０Ｂ  エンドエフェクタデータ、３０Ｃ  フィーダデータ、３０Ｄ  コンベアデータ、３０Ｅ  カメラデータ、３０Ｆ  照明データ、３１  モジュールデータ、３５  導入実績ＤＢ、３７  ベンダＤＢ、３９  カスタマＤＢ、４０  ベンダ端末、５０  カスタマ端末、６０  作業システム、６１  ロボット、６２  ロボットアーム、６３  エンドエフェクタ、６４  カメラ、６５  照明、６６  基板搬送装置、６７  フィーダ、６８  制御装置、ＭＤ  モデル、ＭＰ  マーケットプレイス、Ｓ  基板。
【図１】
2020178937.tif 000003
【図２】
2020178937.tif 000004
【図３】
2020178937.tif 000005
【図４】
2020178937.tif 000006
【図５】
2020178937.tif 000007
【図６】
2020178937.tif 000008
【図７】
2020178937.tif 000009
【図８】
2020178937.tif 000010
【図９】
2020178937.tif 000011
【図１０】
2020178937.tif 000012
【図１１】
2020178937.tif 000013
【図１２】
2020178937.tif 000014
【国際調査報告】
2020178937.tif 000015
2020178937.tif 000016
2020178937.tif 000017
2020178937.tif 000018